(57)【要約】【課題】ラック組立体の生産性を向上させる。【解決手段】レンズ鏡筒であって、光学部材を保持する保持部材と、保持部材を光学部材の光軸方向に移動可能に支持する固定筒と、固定筒に対して回転し、保持部材に駆動力を与える回転筒と、回転筒の固定筒に対する回転移動を規制する規制部と、回転筒と一体的に回転し、外部からの操作により第一方向に変位する操作部と、操作部および規制部を連結し、操作部の変位を、第一方向と異なる第二方向の変位に変換して、規制部による規制を解除する連結部とを備える。【選択図】図７
2014085478.tif 000002
【特許請求の範囲】
【請求項１】
光学部材を保持する保持部材と、
前記保持部材を前記光学部材の光軸方向に移動可能に支持する固定筒と、
前記固定筒に対して回転し、前記保持部材に駆動力を与える回転筒と、
前記回転筒の前記固定筒に対する回転移動を規制する規制部と、
前記回転筒と一体的に回転し、外部からの操作により第一方向に変位する操作部と、
前記操作部および前記規制部を連結し、前記操作部の変位を、前記第一方向と異なる第二方向の変位に変換して、前記規制部による規制を解除する連結部と
を備えるレンズ鏡筒。
【請求項２】
前記第一方向は、前記レンズ鏡筒の径方向の成分を含む請求項１に記載のレンズ鏡筒。
【請求項３】
前記第二方向は、前記レンズ鏡筒の光軸に平行な方向の成分を含む請求項１または請求項２に記載のレンズ鏡筒。
【請求項４】
前記規制部は、前記レンズ鏡筒の光軸方向の長さよりも短い前記固定筒に対して前記回転筒に係合させることにより、前記固定筒に対する前記回転筒の回転を規制する請求項１から請求項３までのいずれか一項に記載のレンズ鏡筒。
【請求項５】
前記連結部は、前記第一方向への前記操作部の変位を回転運動に変換するカム部を含む請求項１から請求項４までのいずれか一項に記載のレンズ鏡筒。
【請求項６】
前記連結部は、前記カム部の回転運動により、前記光学部材の光軸方向に変位するレバー部を含む請求項５に記載のレンズ鏡筒。
【請求項７】
請求項１から請求項６までのいずれか一項に記載のレンズ鏡筒を備えた撮像装置。
【発明の詳細な説明】
【技術分野】
【０００１】
本発明は、レンズ鏡筒および撮像装置に関する。
【背景技術】
【０００２】
ズーム環の操作範囲を制限するロック部を設けたレンズ鏡筒がある（特許文献１参照）。
［特許文献１］  特開２０１０−２８６７８９号公報
【発明の概要】
【発明が解決しようとする課題】
【０００３】
ロック部の操作方向がズーム環の操作と無関係な場合、ロック部を操作しながらズーム環を操作することが難くなる。
【課題を解決するための手段】
【０００４】
本発明の第一態様においては、光学部材を保持する保持部材と、保持部材を光学部材の光軸方向に移動可能に支持する固定筒と、固定筒に対して回転し、保持部材に駆動力を与える回転筒と、回転筒の固定筒に対する回転移動を規制する規制部と、回転筒と一体的に回転し、外部からの操作により第一方向に変位する操作部と、操作部および規制部を連結し、操作部の変位を、第一方向と異なる第二方向の変位に変換して、規制部による規制を解除する連結部とを備えるレンズ鏡筒が提供される。
【０００５】
本発明の第二態様においては、上記レンズ鏡筒を備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】カメラシステム１００の模式的断面図である。
【図２】レンズユニット２００の部分的な断面図である。
【図３】レンズユニット２００の部分的な断面図である。
【図４】ロック機構４００の部分的な斜視図である。
【図５】ロック機構４００の部分的な斜視図である。
【図６】ロック機構４００の部分的な斜視図である。
【図７】ロックボタン４３０の斜視図である。
【図８】ロック機構４００の部分的な斜視図である。
【図９】ロック機構４００の部分的な斜視図である。
【図１０】ロック機構４００の断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、カメラシステム１００の模式的断面図である。カメラシステム１００は、レンズユニット２００およびカメラボディ３００を含む。なお、記載を簡潔にする目的で、下記の説明においては、カメラボディ３００に装着されたレンズユニット２００に対して物体側を、カメラシステム１００の前側または先側と記載する。また、レンズユニット２００に対して物体から遠い側を、カメラシステム１００における後側または背面側と記載する。
【００１０】
レンズユニット２００は、光軸Ｘに沿って配置された第一レンズ群２１０、第二レンズ群２２０、第三レンズ群２３０および第四レンズ群２４０を含む光学系を有する。第一レンズ群２１０、第二レンズ群２２０、第三レンズ群２３０および第四レンズ群２４０は、それぞれ個別のレンズ保持枠２１２、２２２、２３２、２４２に個別に保持される。
【００１１】
図示のレンズユニット２００は、第一レンズ群２１０、第二レンズ群２２０、第三レンズ群２３０および第四レンズ群２４０が相互に接近した沈胴状態にある。これにより、レンズユニット２００の光軸Ｘ方向の長さが短縮されて携帯性は向上するが、光学装置としての機能は利用できない状態にある。
【００１２】
レンズユニット２００は、固定筒２０１、操作環２０２、直進筒２０３、先筒２０４、カム筒２０５、案内筒２０６、第一移動枠２０７および第二移動枠２０９を含む鏡筒を有する。固定筒２０１は、後端にレンズ側マウント部２０８を有する。レンズ側マウント部２０８をカメラボディ３００前面のボディ側マウント部３６０と結合させることにより、固定筒２０１は、カメラボディ３００に対して結合される。
【００１３】
レンズ側マウント部２０８およびボディ側マウント部３６０の結合は解除できる。よって、カメラボディ３００は、規格に適合するレンズ側マウント部２０８を有する他のレンズユニット２００と組み合わせても使用できる。
【００１４】
操作環２０２は、固定筒２０１の外周面に配され、ユーザの操作により、光学系の光軸Ｘを回転軸として回転する。操作環２０２は、内面に形成されたカム溝、直溝等により、直進筒２０３およびカム筒２０５に係合する。直進筒２０３は、固定筒２０１に対して光軸Ｘ方向に移動する。また、カム筒２０５は、操作環２０２と共に回転しつつ、直進筒２０３に連れ従って光軸Ｘ方向に移動する。
【００１５】
なお、カム筒２０５の内側に位置する案内筒２０６は、固定筒２０１に結合されて固定筒２０１に対して移動しない。よって、カム筒２０５は、案内筒２０６に対しても光軸Ｘ方向に移動する。
【００１６】
先筒２０４は、直進筒２０３およびカム筒２０５にそれぞれ係合して支持される。これにより、先筒２０４は、直進筒２０３およびカム筒２０５の固定筒２０１に対する移動に連れ従って光軸Ｘ方向に移動する。
【００１７】
更に、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても移動する。先筒２０４は、第一レンズ群２１０を保持するレンズ保持枠２１２を先端に支持しているので、先筒２０４の移動に伴って第一レンズ群２１０も移動する。
【００１８】
第一移動枠２０７および第二移動枠２０９は、カム筒２０５に形成されたカム溝に係合するカムピン２８３、２８４をそれぞれ有して、カム筒２０５の回転に伴って固定筒２０１に対して光軸Ｘ方向に個別に移動する。これにより、第一移動枠２０７は、第二レンズ群２２０を保持したレンズ保持枠２２２を光軸光方向移動させる。また、第二移動枠２０９は、第四レンズ群２４０を保持するレンズ保持枠２４２に連結され、第四レンズ群２４０を光軸Ｘ方向移動させる。
【００１９】
更に、第三レンズ群２３０を保持するレンズ保持枠２３２は、第四レンズ群２４０を保持するレンズ保持枠２４２に対して固定された送りねじ組立体２７０により駆動されて、レンズ保持枠２４２に対して更に移動可能に支持される。送りねじ組立体２７０は、ステッピングモータ２７２、送りねじ２７４およびフレーム２７６を有する。
【００２０】
フレーム２７６は、ステッピングモータ２７２および送りねじ２７４を一体的に支持し、レンズ保持枠２４２に対して固定される。ステッピングモータ２７２は、送りねじ２７４を回転駆動する。送りねじ２７４は、ラック部材２７８を介してレンズ保持枠２３２と係合する。
【００２１】
これにより、レンズ保持枠２３２に保持された第三レンズ群２３０を移動させることができる。第三レンズ群２３０が移動した場合、レンズユニット２００の光学系の焦点位置が変化する。よって、カメラボディ３００側からの信号に基づいてステッピングモータ２７２を電気的に制御することにより、レンズユニット２００を合焦させることができる。
【００２２】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２３】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２４】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２５】
ミラーユニット３７０は、メインミラー３７１およびサブミラー３７４を含む。メインミラー３７１は、メインミラー回動軸３７３により軸支されたメインミラー保持部３７２に支持される。
【００２６】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２７】
メインミラー保持部３７２の前端が降下した場合、メインミラー３７１は、レンズユニット２００から入射した入射光束上に斜めに位置する。メインミラー保持部３７２が上昇した場合、メインミラー３７１は、入射光束を避けた位置に退避する。
【００２８】
メインミラー３７１が入射光束上に位置する場合、レンズユニット２００を通じて入射した入射光束は、メインミラー３７１に反射されてフォーカシングスクリーン３５２に導かれる。フォーカシングスクリーン３５２は、レンズユニット２００の光学系と共役な位置に配されて、レンズユニット２００の光学系が形成した像を可視化する。
【００２９】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３０】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３１】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズユニット２００の光学系を合焦させる場合に移動するレンズの目標位置を決定する。
【００３２】
上記のようなレンズユニット２００およびカメラボディ３００を備えるカメラシステム１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズユニット２００から入射した入射光束は、ローパスフィルタ３３２を通過して、撮像素子３３０に入射する。
【００３３】
図２は、レンズユニット２００の他の状態を示す部分的な断面図であり、光軸Ｘに対して図中上側に、広角側に変倍されたレンズユニット２００の断面を示す。また、図２において、光軸Ｘに対して図中下側には、望遠側に変倍されたレンズユニット２００の断面を示す。
【００３４】
なお、図２において、図１と共通の要素には同じ参照番号を付して重複する説明を省く。ただし、図２は、光軸Ｘを含む断面である点で図１と共通するものの、図１とは異なる断面が示されており、図１と共通の要素であっても、図１とは異なる形状で現れている場合がある。
【００３５】
レンズユニット２００において、直進筒２０３は、リード部２８１において操作環２０２と係合する。直進筒２０３は、固定筒２０１に対する回転が抑制されているので、操作環２０２が回転操作された場合、光軸Ｘ方向に移動する駆動力を操作環２０２から受ける。
【００３６】
カム筒２０５は、それ自体の後端付近に配されたバヨネット爪２８６により、直進筒２０３の後端付近に係合する。バヨネット爪２８６は、直進筒２０３の内面に周方向に延在するバヨネット溝に係合するので、カム筒２０５は、光軸Ｘの周りに回転できる。しかしながら、直進筒２０３が光軸Ｘ方向に移動した場合は、直進筒２０３に連れ従って、カム筒２０５も光軸方向に移動する。換言しれば、カム筒２０５と直進筒２０３とは、光軸Ｘ方向に限って係合されている。
【００３７】
また、カム筒２０５は、それ自体の外周面に固定された連結ピン２８５を通じて、操作環２０２の内面に光軸Ｘと平行に設けられた溝に係合する。これにより、操作環２０２が回転操作された場合、カム筒２０５も回転する。
【００３８】
既に説明した通り、操作環２０２が回転操作された場合、直進筒２０３は光軸Ｘ方向に移動し、カム筒２０５も直進筒２０３に連れ従って移動する。よって、操作環２０２が回転操作された場合、カム筒２０５は、光軸Ｘの周りに回転しつつ、光軸Ｘ方向に移動する。
【００３９】
案内筒２０６は、カム筒２０５の内側に位置して、固定筒２０１に結合されて固定される。よって、操作環２０２が回転操作された場合、直進筒２０３およびカム筒２０５は、案内筒２０６に対しても移動することになる。案内筒２０６は、光軸Ｘの方向についてレンズユニット２００の前端側に向かって延在するので、カム筒２０５を内面側から支持すると共に、直進筒２０３の後端に設けられたキー２８７と係合する直進溝２８８により、直進筒２０３の回転を抑制する。
【００４０】
先筒２０４は、先端に第一レンズ群２１０のレンズ保持枠２１２を支持する。また、先筒２０４は、カムピン２８２等により直進筒２０３およびカム筒２０５に係合して双方から支持される。よって、直進筒２０３およびカム筒２０５が光軸Ｘ方向に移動する場合は、先筒２０４も連れ従って光軸Ｘ方向に移動する。
【００４１】
更に、操作環２０２が回転操作された場合、先筒２０４は、回転することなく光軸Ｘ方向に移動する直進筒２０３と、回転しつつ光軸Ｘ方向に移動するカム筒２０５との間で駆動されて、直進筒２０３およびカム筒２０５に対しても光軸Ｘ方向に移動する。これにより、先筒２０４の先端に保持された第一レンズ群２１０は、固定筒２０１から前方に大きく繰り出される。
【００４２】
このように、操作環２０２が回転操作された場合、第一レンズ群２１０、第二レンズ群２２０、第三レンズ群２３０および第四レンズ群２４０が、固定筒２０１に対してそれぞれ個別に移動する。これにより、操作環２０２の回転量に応じて、レンズユニット２００に形成された光学系の倍率が変化する。また、レンズユニット２００の変倍の範囲を超えて操作環２０２が回転操作された場合、レンズユニット２００は沈胴状態になる。
【００４３】
図３は、レンズユニット２００において、光軸Ｘを含む他の断面を示す部分的断面図である。図１および図２と共通の要素には同じ参照番号を付して重複する説明を省く。
【００４４】
レンズユニット２００において、操作環２０２の外側周面は、エラストマリング２１１により覆われる。エラストマリング２１１は、ユーザが操作環２０２を操作する場合の滑り止めになると共に、操作環２０２の表面に配された部品の継ぎ目、ねじ頭等を隠蔽してレンズユニットの美観を向上させる。
【００４５】
また、レンズユニット２００は、ロック機構４００を備える。ロック機構４００は、操作環２０２に設けられ、操作環２０２が回転操作された場合は、操作環２０２と一体的に回転する。ロック機構４００は、カバー部材４１０、連結部材４２０、ロックボタン４３０および圧縮ばね４４０を含む。
【００４６】
ロック機構４００において、カバー部材４１０は、ロックボタン４３０および操作環２０２の間隙を塞ぐと共に、圧縮ばね４４０に付勢されたロックボタン４３０がレンズユニット２００から脱落することを防止する。圧縮ばね４４０は、レンズユニット２００の径方向外側に向かってロックボタン４３０を付勢する。
【００４７】
連結部材４２０は、レンズユニット２００の径方向についてロックボタン４３０の内側に配され、ロックボタン４３０の図中下端に接する。連結部材４２０には、操作環２０２に一体的に形成されたストッパ１９７が挿通される。これにより、連結部材４２０は、ストッパ１９７の周りに回転自在に位置決めされる。なお、ストッパ１９７は、圧縮ばね４４０の付勢力に抗して押し込まれたロックボタン４３０の内面に頂面を当接させて、ロックボタン４３０の押し込みストロークを規定する。
【００４８】
上記のようなロック機構４００は、操作環２０２の回転範囲のうちの予め定められた位置において、操作環２０２の回転を規制する。これにより、例えば、レンズユニット２００が沈胴状態にある場合に操作環２０２の回転を規制して、レンズユニット２００が不用意に伸筒することを防止できる。また、レンズユニット２００の回転範囲を規制して、使用中のレンズユニット２００が意図せずに沈胴状態になってしまうことを防止できる。
【００４９】
図４は、ロック機構４００の部分的な斜視図であり、レンズユニット２００からエラストマリング２１１を取り除いた状態でロックボタン４３０周辺の様子を示す。図４においては、図中右側からレンズユニット２００の先端側に相当する。図４において、図３までと共通の要素には同じ参照番号を付して重複する説明を省く。
【００５０】
図示のように、カバー部材４１０は、操作環２０２の周面上でロックボタン４３０を包囲する。カバー部材４１０の図中下方には、連結部材４２０の一部であるロックレバー４２２が見える。このように、ロック機構４００においては、カバー部材４１０およびロックボタン４３０が操作環２０２の外部に向かって露出する。
【００５１】
なお、カバー部材４１０の側方に配された一対のガイドピン４５６も、ロック機構４００の一部をなす。ガイドピン４５６は、操作環２０２に設けられた位置決め穴１９６に挿入され、操作環２０２の周面上の特定の位置に位置決めされる。操作環２０２にエラストマリング２１１が装着された場合、ガイドピン４５６はエラストマリング２１１の下に隠され外部から見えない。
【００５２】
また、図４には、レンズユニット２００における固定筒２０１の一部が見えている。固定筒２０１において、カバー部材４１０およびロックボタン４３０に面した前端面には、レンズユニット２００の後端側に向かって後退して形成されたストライク部１９９が設けられる。ストライク部１９９は、レンズユニット２００の径方向に沿って、レンズユニット２００の内部まで延在する。
【００５３】
図５は、ロック機構４００の部分的な斜視図であり、図４に示したロック機構４００から、カバー部材４１０、ロックボタン４３０および圧縮ばね４４０を取り除いた様子を示す。図５において、図４までと共通の要素には同じ参照番号を付して重複する説明を省く。
【００５４】
ロック機構４００からカバー部材４１０、ロックボタン４３０および圧縮ばね４４０が取り除かれると、連結部材４２０全体が露出する。連結部材４２０は、操作環２０２からレンズユニット２００の径方向に突出して形成されたストッパ１９７を回転軸穴４２６に挿通され、操作環２０２の周面に接する面の上で回転自在に、操作環２０２から軸支される。また、連結部材４２０は、フック部４２１、ロックレバー４２２および一対のフォロワ面４２４を有する。
【００５５】
フック部４２１は、引張ばね４６０の一端に係合する。引張ばね４６０は、操作環２０２の表面に沿って、レンズユニット２００の光軸Ｘ方向に配される。引張ばね４６０の他端は、操作環２０２の一部として形成されたペグ部１９８に掛けられる。これにより、フック部４２１は、ペグ部１９８に向かって接近する方向に付勢される。よって、連結部材４２０は、図中で時計周りに回転する方向に付勢される。
【００５６】
ロックレバー４２２は、連結部材４２０と一体的に形成され、操作環２０２の周方向に延在する。よって、連結部材４２０がストッパ１９７の周りを回転した場合、ロックレバー４２２の先端は、操作環２０２の表面に沿って、レンズユニット２００の光軸Ｘ方向に変位する。また、連結部材４２０は引張ばね４６０により付勢されているので、ロックレバー４２２の先端は、固定筒２０１に向かって接近する方向に付勢される。
【００５７】
一対のフォロワ面４２４は、連結部材４２０の周方向について、操作環２０２の表面からの高さが連続的に変化する斜面をそれぞれ含む。よって、操作環２０２表面のひとつの位置においては、連結部材４２０が回転した場合に、フォロワ面４２４の高さが連続的に変化する。
【００５８】
図６は、ロック機構４００の部分的な斜視図であり、図５に示したロック機構４００から、連結部材４２０、引張ばね４６０およびロック板４５０を抜き出した様子を示す。図６において、図５までと共通の要素には同じ参照番号を付して重複する説明を省く。
【００５９】
ロック板４５０は、ロックレバー４２２の先端と係合し、操作環２０２の内側に配される。ロック板４５０は、一対の長穴４５５と、単一の連結穴４５８とを有し、レンズユニット２００の光軸Ｘ方向に延在する。
【００６０】
一対の長穴４５５は、ロック板４５０の長手方向両端近傍に配される。また、一対の長穴４５５のそれぞれは、ロック板４５０の長手方向が、長穴４５５自体の長手方向と一致する向きに形成される。
【００６１】
一対の長穴４５５のそれぞれには、ガイドピン４５６が挿通される。ガイドピン４５６は段付きボルトであり、ロック板４５０の厚さよりも長い直胴部を有する。ガイドピン４５６の先端は、ロック板４５０の図中下面に沿って配された板ナット４５１にそれぞれねじ込まれる。よって、ガイドピン４５６は、ロック板４５０からはずれることなく長穴４５５内を摺動する。
【００６２】
ロック板４５０において、連結穴４５８は一対の長穴４５５の間に配される。連結穴４５８には、ロックレバー４２２の先端から図中下方に突出する連結ピン４２３が差し込まれる。これにより、ロック板４５０は、ロックレバー４２２先端の変位に伴って、長手方向に変位する。
【００６３】
ロック板４５０は、レンズユニット２００における後端側にラッチ部４５２を有する。操作環２０２の回転方向について、固定筒２０１のストライク部１９９とロック板４５０とが同じ位置にある場合、固定筒２０１側に変位したロック板４５０のラッチ部４５２は、固定筒２０１のストライク部１９９と嵌合する。
【００６４】
図７は、ロックボタン４３０を単独で示す斜視図である。図７は、ロックボタン４３０を、レンズユニット２００の内側から見た様子を示す。
【００６５】
ロックボタン４３０の、レンズユニット２００の内側に面して、一対のカム面４３２と、単一の度当たり部４３４とを有する。一対のカム面４３２は、ロックボタン４３０の高さ方向、即ち、レンズユニット２００においては径方向について、連続的に厚さが変化する斜面をそれぞれ有する。カム面４３２のそれぞれの傾斜は、連結部材４２０のフォロワ面４２４の傾斜に対応する。
【００６６】
度当たり部４３４は、ロックボタン４３０の内側に陥没して形成される。度当たり部４３４は、ロックボタン４３０の平面図において中心になる位置に配される。
【００６７】
図８は、ロック機構４００の部分的な斜視図である。図８は、図６に示した組立体と、図７に示したロックボタン４３０とをロック機構４００から抜き出して、図６とは反対側、即ち、ロック板４５０の裏面側から見た様子を示す。図７までと共通の要素には同じ参照番号を付して重複する説明を省く。
【００６８】
ロック機構４００において、連結部材４２０は、フック部４２１において、引張ばね４６０に、図中の矢印Ａの方向に付勢されている。よって、負荷が作用していない場合、連結部材４２０は、図中反時計周りに周り切る方向に付勢されている。これにより、ロックレバー４２２に係合するロック板４５０は、ラッチ部４５２側に移動し切った状態にある。
【００６９】
ロック機構４００においては、互いに略同じ傾斜を有する連結部材４２０のフォロワ面４２４と、ロックボタン４３０のカム面４３２とが互いに接触している。よって、ロックボタン４３０が押し込まれると、カム面４３２とフォロワ面４２４とが摺動して、連結部材４２０は、図中時計周りに回転する。
【００７０】
これにより、ロックレバー４２２の先端は、レンズユニット２００の光軸Ｘと平行な方向に変位する。更に、ロックレバー４２２に係合するロック板４５０は、ロックレバー４２２先端の変位に伴って、図中に矢印Ｂで示すように、ラッチ部４５２が設けられている側と反対側に後退する。このように、ロック機構４００においては、ロックボタン４３０が、第一方向であるレンズユニット２００の径方向に押し込まれた場合、連結部材４２０が運動方向を変換し、ロック板４５０は、第二方向である光軸Ｘと平行な方向に移動する。
【００７１】
なお、上記ロック機構４００において、カム面４３２とフォロワ面４２４との環に、両者の摺動抵抗を転がり抵抗に変換する、ボール、コロ等の回転体を挟んでもよい。これにより、ロックボタン４３０の押し込み力量を低減して、ロック機構４００の動作を円滑にすることができる。
【００７２】
図９は、ロック機構４００の斜視図であり、ロック板４５０と固定筒２０１との関係を示す斜視図である。図８までと共通の要素には同じ参照番号を付して重複する説明を省く。
【００７３】
上記の通り、ロック機構４００において、ロック板４５０は、図中に矢印Ａで示すように、固定筒２０１に向かって押しつけられる方向に付勢される。よって、操作環２０２が、ロック板４５０およびストライク部１９９が対向する位置にある場合、ロック板４５０端部のラッチ部４５２がストライク部１９９に入り込む。これにより、操作環２０２の固定筒２０１に対する回転が規制される。
【００７４】
また、ロックボタン４３０が押し込まれた場合、ロック板４５０は、図中に矢印Ｂで示す方向に変位する。これにより、ロック板４５０端部のラッチ部４５２はストライク部１９９から抜け出る。これにより、ロック機構４００による操作環２０２の回転規制は解除される。
【００７５】
上記のようなロック機構４００におけるロックボタン４３０の押し込み方向は、ユーザが操作環２０２を把持する場合の方向と一致する。また、ロックボタン４３０は、操作環２０２に設けられている。よって、ロック機構４００を備えたレンズユニット２００をユーザが操作する場合、ロック機構４００による回転規制の解除と、回転操作のための操作環２０２の把持とが一挙動で完了する。
【００７６】
また、ロック機構４００においてはロック板４５０が光軸Ｘ方向に移動して操作環２０２の回転を規制または開放する。よって、レンズユニット２００においては、ストライク部１９９が設けられる固定筒２０１の長さを、レンズユニット２００の全長よりも短くすることができる。よって、上記のようなロック機構４００の構造は、レンズユニット２００の軽量化および小型化にも寄与する。
【００７７】
なお、ロック板４５０のラッチ部４５２と固定筒２０１のストライク部１９９とが対向しない位置に操作環２０２が位置する場合も、ロックボタン４３０が押し込まれていない場合は、引張ばね４６０の付勢力により、ロック板４５０の端部が固定筒２０１の端面に押しつけられる。
【００７８】
よって、操作環２０２には定常的に負荷がかかり、操作環２０２の回転が抑制される。これにより、第一レンズ群２１０等の重量により操作環２０２が回される現象が抑制される。
【００７９】
なお、上記のロック機構４００では、ロックボタン４３０を押し込み方向と反対の方向に付勢する圧縮ばね４４０を設けている。しかしながら、引張ばね４６０により付勢された連結部材４２０のフォロワ面４２４は、押し込まれたロックボタン４３０を押し戻すカムとしても作用する。よって、圧縮ばね４４０を省略することもできる。
【００８０】
図１０は、レンズユニット２００の光軸Ｘと直交する断面を示すロック機構４００の断面図である。図９までと共通の要素には同じ参照番号を付して重複する説明を省く。
【００８１】
ロック機構４００は、ロックボタン４３０以外に、レンズユニット２００の径方向に変位する部材を含まない。よって、部材が変位する空間を確保する目的でレンズユニット２００の径が拡大されることが防止される。
【００８２】
以上、交換可能なレンズユニット２００を備えたレンズ交換式一眼レフカメラを例にあげて説明したが、クイックリターンミラーを備えていないレンズ交換式の撮像装置であっても上記の構造を適用できる。更に、レンズユニット２００とカメラボディ３００が一体に形成されたカメラの他、ロック機構４００により駆動する光学部材を備えた望遠鏡、測量器、顕微鏡等においても上記の構造を適用できる。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００８４】
１００  カメラシステム、１９６  位置決め穴、１９７  ストッパ、１９８  ペグ部、１９９  ストライク部、２００  レンズユニット、２０１  固定筒、２０２  操作環、２０３  直進筒、２０４  先筒、２０５  カム筒、２０６  案内筒、２０７  第一移動枠、２０８  レンズ側マウント部、２０９  第二移動枠、２１０  第一レンズ群、２１１  エラストマリング、２１２、２２２、２３２、２３２、２４２  レンズ保持枠、２２０  第二レンズ群、２３０  第三レンズ群、２４０  第四レンズ群、２７０  送りねじ組立体、２７２  ステッピングモータ、２７４  送りねじ、２７６  フレーム、２７８  ラック部材、２８２、２８３、２８４  カムピン、２８５  連結ピン、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ、４００  ロック機構、４１０  カバー部材、４２０  連結部材、４２１  フック部、４２２  ロックレバー、４２３  連結ピン、４２４  フォロワ面、４２６  回転軸穴、４３０  ロックボタン、４３２  カム面、４３４  度当たり部、４４０  圧縮ばね、４５０  ロック板、４５２  ラッチ部、４５５  長穴、４５６  ガイドピン、４５８  連結穴、４６０  引張ばね
【図１】
2014085478.tif 000003
【図２】
2014085478.tif 000004
【図３】
2014085478.tif 000005
【図４】
2014085478.tif 000006
【図５】
2014085478.tif 000007
【図６】
2014085478.tif 000008
【図７】
2014085478.tif 000009
【図８】
2014085478.tif 000010
【図９】
2014085478.tif 000011
【図１０】
2014085478.tif 000012